(57)【要約】【課題】映像供給装置の電源がオフしているときに映像供給装置で消費される電力を十分に低減させることが可能な映像表示システムを提供することである。【解決手段】本発明の映像表示システムは、電波による無線通信を用いて映像データを供給する映像供給装置と当該映像データを受信する映像表示装置とで構成される。映像供給装置は、映像表示装置に供給するための映像データを取得するデータ取得部と、取得された映像データを映像表示装置に供給する無線通信部と、映像表示装置から送信されたオフデータを受信する赤外線受信部と、当該オフデータが赤外線受信部において受信されたとき、データ取得部および無線通信部に供給される電源を停止して映像供給装置の電源をオフする制御部とを備える。【選択図】図１
2007274440.tif 000002
【特許請求の範囲】
【請求項１】
電波による無線通信を用いて映像データを供給する映像供給装置と当該映像供給装置から供給された映像データに応じた映像を表示する映像表示装置とで構成された映像表示システムであって、
前記映像表示装置は、
前記映像供給装置から供給された映像データを受信する表示側無線通信部と、
前記表示側無線通信部において受信された映像データに応じた映像を表示する表示部と、
前記映像表示装置の電源をオフする命令があった場合、所定のオフデータを生成する表示側制御部と、
赤外線による無線通信を用いて前記オフデータを前記映像供給装置に送信する表示側赤外線送信部とを備え、
前記映像供給装置は、
前記表示側無線通信部に供給するための映像データを取得するデータ取得部と、
前記データ取得部において取得された映像データを前記表示側無線通信部に供給する供給側無線通信部と、
前記表示側赤外線送信部から送信された前記オフデータを受信する供給側赤外線受信部と、
前記オフデータが前記供給側赤外線受信部において受信されたとき、前記データ取得部および前記供給側無線通信部に供給される電源を停止する供給側制御部とを備える、映像表示システム。
【請求項２】
前記表示側無線通信部は、電波による無線通信を用いて前記オフデータを前記供給側無線通信部に送信し、
前記供給側制御部は、前記オフデータが前記供給側赤外線受信部において受信されずに前記供給側無線通信部においてのみ受信されたとき、前記データ取得部に供給される電源のみを停止することを特徴とする、請求項１に記載の映像表示システム。
【請求項３】
前記表示側赤外線送信部は、予め定められた所定時間毎に前記オフデータを前記供給側赤外線受信部に送信し、
前記供給側制御部は、前記データ取得部に供給される電源のみが停止している場合において、前記オフデータが前記供給側赤外線受信部において前記所定時間毎に受信されたとき、前記供給側無線通信部に供給される電源をさらに停止することを特徴とする、請求項２に記載の映像表示システム。
【請求項４】
前記表示側赤外線送信部は、予め定められた所定時間毎に前記オフデータを前記供給側赤外線受信部に送信し、
前記供給側制御部は、前記データ取得部および前記供給側無線通信部に供給される電源が停止している場合において、前記オフデータが前記供給側赤外線受信部において前記所定時間毎に受信されないとき、前記供給側無線通信部への電源供給を開始することを特徴とする、請求項２に記載の映像表示システム。
【請求項５】
前記映像供給装置は、前記データ取得部に供給される電源のみが停止している場合において、赤外線による無線通信を用いて前記映像表示装置の電源がオフしているかの問い合わせを示すデータを送信する供給側赤外線送信部をさらに備え、
前記映像表示装置は、前記供給側赤外線送信部から送信された前記問い合わせを示すデータを受信する表示側赤外線受信部をさらに備え、
前記表示側赤外線送信部は、前記表示側赤外線受信部において前記問い合わせを示すデータが受信されたとき、前記オフデータを前記供給側赤外線受信部に送信し、
前記供給側制御部は、前記オフデータが前記供給側赤外線受信部において受信されたとき、前記供給側無線通信部に供給される電源をさらに停止することを特徴とする、請求項２に記載の映像表示システム。
【請求項６】
前記映像供給装置は、前記データ取得部および前記供給側無線通信部に供給される電源が停止している場合において、赤外線による無線通信を用いて前記映像表示装置の電源がオフしているかの問い合わせを示すデータを送信する供給側赤外線送信部をさらに備え、
前記映像表示装置は、前記供給側赤外線送信部から送信された前記問い合わせを示すデータを受信する表示側赤外線受信部をさらに備え、
前記表示側赤外線送信部は、前記表示側赤外線受信部において前記問い合わせを示すデータが受信されたとき、前記オフデータを前記供給側赤外線受信部に送信し、
前記供給側制御部は、前記オフデータが前記供給側赤外線受信部において受信されないとき、前記供給側無線通信部への電源供給を開始することを特徴とする、請求項２に記載の映像表示システム。
【請求項７】
前記表示側制御部は、前記映像表示装置の電源をオンする命令があった場合、所定のオンデータを生成し、
前記表示側無線通信部は、電波による無線通信を用いて前記オンデータを前記供給側無線通信部に送信し、
前記表示側赤外線送信部は、赤外線による無線通信を用いて前記オンデータを前記供給側赤外線受信部に送信し、
前記供給側制御部は、前記オンデータが前記供給側赤外線受信部において受信されたとき、前記データ取得部および前記供給側無線通信部への電源供給を開始し、前記オンデータが前記供給側赤外線受信部において受信されずに前記供給側無線通信部においてのみ受信されたとき、前記データ取得部への電源供給を開始することを特徴とする、請求項２に記載の映像表示システム。
【請求項８】
前記表示側制御部は、前記映像表示装置の電源をオンする命令があった場合、所定のオンデータを生成し、
前記表示側赤外線送信部は、赤外線による無線通信を用いて前記オンデータを前記供給側赤外線受信部に送信し、
前記供給側制御部は、前記オンデータが前記供給側赤外線受信部において受信されたとき、前記データ取得部および前記供給側無線通信部への電源供給を開始することを特徴とする、請求項１に記載の映像表示システム。
【請求項９】
電波による無線通信を用いて映像表示装置に映像データを供給する映像供給装置であって、
前記映像表示装置に供給するための映像データを取得するデータ取得部と、
前記データ取得部において取得された映像データを前記映像表示装置に供給する供給側無線通信部と、
前記映像表示装置の電源をオフする命令があったときに当該映像表示装置から赤外線による無線通信を用いて送信された所定のオフデータを受信する供給側赤外線受信部と、
前記供給側赤外線受信部において前記オフデータが受信されたとき、前記データ取得部および前記供給側無線通信部に供給される電源を停止する供給側制御部とを備える、映像供給装置。
【請求項１０】
電波による無線通信を用いて映像供給装置から供給された映像データに応じた映像を表示する映像表示装置であって、
前記映像供給装置から供給された映像データを受信する表示側無線通信部と、
前記表示側無線通信部において受信された映像データに応じた映像を表示する表示部と、
前記映像表示装置の電源をオフする命令があった場合、前記表示側無線通信部に供給するための映像データを取得する前記映像供給装置のデータ取得部と、前記データ取得部において取得された映像データを前記表示側無線通信部に供給する前記映像供給装置の供給側無線通信部とに供給される電源を停止するためのオフデータを生成する表示側制御部と、
赤外線による無線通信を用いて前記オフデータを前記映像供給装置に送信する表示側赤外線送信部とを備える、映像表示装置。
【発明の詳細な説明】
【技術分野】
【０００１】
本発明は、映像表示システムに関し、より特定的には、映像供給装置の電源がオフしているときに当該映像供給装置で消費される電力を十分に低減させることが可能な映像表示システムに関する。
【背景技術】
【０００２】
従来、テレビジョン放送などの映像データを受信するチューナと液晶などの表示部とを別個に構成した映像表示システムが知られている（例えば、特許文献１および特許文献２参照）。具体的には、従来の映像表示システムは、電波による無線通信を行う無線通信部およびチューナを含む映像供給装置と、無線通信部および表示部を含むテレビジョン受像機などの映像表示装置とで構成されている。チューナで受信された映像データ（例えばテレビジョン放送データ、または映像供給装置に接続される外部機器から入力されたビデオデータなど）は、無線通信部を介して映像供給装置から映像表示装置へ供給される。映像表示装置は、映像供給装置から供給された映像データを無線通信部で受信し、当該映像データに応じた映像を表示部において表示する。
【０００３】
ここで、映像供給装置および映像表示装置のように別個の装置で構成される映像表示システムでは、映像表示装置の電源がオフしているときに映像供給装置で消費される電力をいかにして低減させるかが問題となっていた。そこで従来では、映像供給装置および映像表示装置の間で無線通信を用いた制御を行い、映像表示装置の電源のオンおよびオフと映像供給装置の電源のオンおよびオフとを連動させている。これにより、映像表示装置の電源がオフすると映像供給装置の電源もオフし、映像供給装置で消費される電力を低減させることができる。
【特許文献１】特開２００２−２４７４７９号公報
【特許文献２】特開２００５−３３３５３２号公報
【発明の開示】
【発明が解決しようとする課題】
【０００４】
しかしながら、上述した従来の映像表示システムでは、映像表示装置および映像供給装置の間で電源のオンおよびオフを連動させるために、常に無線通信を用いた制御を行っている。したがって、映像供給装置は、自身の電源がオフしているときでも、無線通信可能な状態でなければならない。つまり、映像供給装置の電源がオフしているときでも、映像供給装置内の無線通信部には常に電源が供給されている必要があった。これにより、従来では、映像供給装置の電源がオフしているときに当該映像供給装置で消費される電力を十分に低減させることが困難であった。
【０００５】
それ故、本発明は、映像供給装置の電源がオフしているときに当該映像供給装置で消費される電力を十分に低減させることが可能な映像表示システムを提供することを目的とする。
【課題を解決するための手段】
【０００６】
第１の発明は、電波による無線通信を用いて映像データを供給する映像供給装置と当該映像供給装置から供給された映像データに応じた映像を表示する映像表示装置とで構成された映像表示システムであって、映像表示装置は、映像供給装置から供給された映像データを受信する表示側無線通信部と、表示側無線通信部において受信された映像データに応じた映像を表示する表示部と、映像表示装置の電源をオフする命令があった場合、所定のオフデータを生成する表示側制御部と、赤外線による無線通信を用いてオフデータを映像供給装置に送信する表示側赤外線送信部とを備え、映像供給装置は、表示側無線通信部に供給するための映像データを取得するデータ取得部と、データ取得部において取得された映像データを表示側無線通信部に供給する供給側無線通信部と、表示側赤外線送信部から送信されたオフデータを受信する供給側赤外線受信部と、オフデータが供給側赤外線受信部において受信されたとき、データ取得部および供給側無線通信部に供給される電源を停止する供給側制御部とを備える。
【０００７】
第２の発明は、上記第１の発明において、表示側無線通信部は、電波による無線通信を用いてオフデータを供給側無線通信部に送信し、供給側制御部は、オフデータが供給側赤外線受信部において受信されずに供給側無線通信部においてのみ受信されたとき、データ取得部に供給される電源のみを停止することを特徴とする。
【０００８】
第３の発明は、上記第２の発明において、表示側赤外線送信部は、予め定められた所定時間毎にオフデータを供給側赤外線受信部に送信し、供給側制御部は、データ取得部に供給される電源のみが停止している場合において、オフデータが供給側赤外線受信部において所定時間毎に受信されたとき、供給側無線通信部に供給される電源をさらに停止することを特徴とする。
【０００９】
第４の発明は、上記第２の発明において、表示側赤外線送信部は、予め定められた所定時間毎にオフデータを供給側赤外線受信部に送信し、供給側制御部は、データ取得部および供給側無線通信部に供給される電源が停止している場合において、オフデータが供給側赤外線受信部において所定時間毎に受信されないとき、供給側無線通信部への電源供給を開始することを特徴とする。
【００１０】
第５の発明は、上記第２の発明において、映像供給装置は、データ取得部に供給される電源のみが停止している場合において、赤外線による無線通信を用いて映像表示装置の電源がオフしているかの問い合わせを示すデータを送信する供給側赤外線送信部をさらに備え、映像表示装置は、供給側赤外線送信部から送信された問い合わせを示すデータを受信する表示側赤外線受信部をさらに備え、表示側赤外線送信部は、表示側赤外線受信部において問い合わせを示すデータが受信されたとき、オフデータを供給側赤外線受信部に送信し、供給側制御部は、オフデータが供給側赤外線受信部において受信されたとき、供給側無線通信部に供給される電源をさらに停止することを特徴とする。
【００１１】
第６の発明は、上記第２の発明において、映像供給装置は、データ取得部および供給側無線通信部に供給される電源が停止している場合において、赤外線による無線通信を用いて映像表示装置の電源がオフしているかの問い合わせを示すデータを送信する供給側赤外線送信部をさらに備え、映像表示装置は、供給側赤外線送信部から送信された問い合わせを示すデータを受信する表示側赤外線受信部をさらに備え、表示側赤外線送信部は、表示側赤外線受信部において問い合わせを示すデータが受信されたとき、オフデータを供給側赤外線受信部に送信し、供給側制御部は、オフデータが供給側赤外線受信部において受信されないとき、供給側無線通信部への電源供給を開始することを特徴とする。
【００１２】
第７の発明は、上記第２の発明において、表示側制御部は、映像表示装置の電源をオンする命令があった場合、所定のオンデータを生成し、表示側無線通信部は、電波による無線通信を用いてオンデータを供給側無線通信部に送信し、表示側赤外線送信部は、赤外線による無線通信を用いてオンデータを供給側赤外線受信部に送信し、供給側制御部は、オンデータが供給側赤外線受信部において受信されたとき、データ取得部および供給側無線通信部への電源供給を開始し、オンデータが供給側赤外線受信部において受信されずに供給側無線通信部においてのみ受信されたとき、データ取得部への電源供給を開始することを特徴とする。
【００１３】
第８の発明は、上記第１の発明において、表示側制御部は、映像表示装置の電源をオンする命令があった場合、所定のオンデータを生成し、表示側赤外線送信部は、赤外線による無線通信を用いてオンデータを供給側赤外線受信部に送信し、供給側制御部は、オンデータが供給側赤外線受信部において受信されたとき、データ取得部および供給側無線通信部への電源供給を開始することを特徴とする。
【００１４】
第９の発明は、電波による無線通信を用いて映像表示装置に映像データを供給する映像供給装置であって、映像表示装置に供給するための映像データを取得するデータ取得部と、データ取得部において取得された映像データを映像表示装置に供給する供給側無線通信部と、映像表示装置の電源をオフする命令があったときに当該映像表示装置から赤外線による無線通信を用いて送信された所定のオフデータを受信する供給側赤外線受信部と、供給側赤外線受信部においてオフデータが受信されたとき、データ取得部および供給側無線通信部に供給される電源を停止する供給側制御部とを備える。
【００１５】
第１０の発明は、電波による無線通信を用いて映像供給装置から供給された映像データに応じた映像を表示する映像表示装置であって、映像供給装置から供給された映像データを受信する表示側無線通信部と、表示側無線通信部において受信された映像データに応じた映像を表示する表示部と、映像表示装置の電源をオフする命令があった場合、表示側無線通信部に供給するための映像データを取得する映像供給装置のデータ取得部と、データ取得部において取得された映像データを表示側無線通信部に供給する映像供給装置の供給側無線通信部とに供給される電源を停止するためのオフデータを生成する表示側制御部と、赤外線による無線通信を用いてオフデータを映像供給装置に送信する表示側赤外線送信部とを備える。
【発明の効果】
【００１６】
上記第１の発明によれば、供給側赤外線受信部においてオフデータが受信可能な場合には、供給側無線通信部への電源供給を停止することで、映像供給装置の電源がオフしている間に映像供給装置で消費される電力を十分に低減させることができる。
【００１７】
上記第２の発明によれば、オフデータが供給側赤外線受信部において受信されないとき、供給側無線通信部に供給される電源を停止しないことで、映像供給装置の電源がオフしているときに当該供給側無線通信部において映像供給装置と映像表示装置との間のデータの送受信が可能となる。
【００１８】
上記第３の発明によれば、供給側無線通信部に供給される電源が停止していない場合において、例えば映像供給装置および映像表示装置の設置位置が変わって供給側赤外線受信部において映像表示装置から送信されるオフデータが受信可能になった場合に、供給側無線通信部への電源供給を停止することで、映像供給装置で消費される電力を十分に低減させることができる。
【００１９】
上記第４の発明によれば、供給側無線通信部に供給される電源が停止している場合において、例えば映像供給装置および映像表示装置の設置位置が変わって供給側赤外線受信部において映像表示装置から送信されるデータが受信不可能になった場合に、供給側無線通信部に供給される電源を開始することで、映像供給装置の電源がオフしているときに当該供給側無線通信部において映像供給装置と映像表示装置との間のデータの送受信が可能となる。
【００２０】
上記第５の発明によれば、供給側無線通信部に供給される電源が停止していない場合において、映像供給装置が映像表示装置に対して電源の状態を問い合わせることで、例えば映像供給装置および映像表示装置の設置位置が変わって供給側赤外線受信部において映像表示装置から送信されるオフデータが受信可能になった場合に、供給側無線通信部への電源供給を停止することで、映像供給装置で消費される電力を十分に低減させることができる。
【００２１】
上記第６の発明によれば、供給側無線通信部に供給される電源が停止している場合において、映像供給装置が映像表示装置に対して電源の状態を問い合わせることで、例えば映像供給装置および映像表示装置の設置位置が変わって供給側赤外線受信部において映像表示装置から送信されるデータが受信不可能になった場合に、供給側無線通信部に供給される電源を開始することで、映像供給装置の電源がオフしているときに当該供給側無線通信部において映像供給装置と映像表示装置との間のデータの送受信が可能となる。
【００２２】
上記第７の発明によれば、表示側無線通信部および表示側赤外線送信部からオンデータが送信されることで、映像表示装置が映像供給装置の供給側赤外線受信部と受信可能か否かを判断することなく、映像供給装置の電源をオンすることができる。
【００２３】
上記第８の発明によれば、表示側赤外線送信部からオンデータが送信されることで、映像供給装置の供給側赤外線受信部においてオンデータが受信可能な場合に、映像供給装置の電源をオンすることができる。
【発明を実施するための最良の形態】
【００２４】
（第１の実施形態）
図１を参照して、本発明の第１の実施形態に係る映像表示システムについて説明する。図１は、第１の実施形態に係る映像表示システムの構成例を示すブロック図である。映像表示システムは映像供給装置１および映像表示装置２で構成される。
【００２５】
映像供給装置１は、チューナ部１１、映像／音声処理部１２、無線通信部１３、赤外線受信部１４、電源部１５、および制御部１６を備える。映像表示装置２は、例えばテレビジョン受像機である。映像表示装置２は、表示部２１、映像／音声処理部２２、無線通信部２３、赤外線送信部２４、電源部２５、制御部２６、およびリモコン信号受信部２７を備える。
【００２６】
まず、映像供給装置１の各構成部について説明する。チューナ部１１は、テレビジョン放送局などから送信された映像データや音声データを受信する。映像／音声処理部１２は、チューナ部１１で受信された映像データや音声データを入力とする。映像／音声処理部１２は、映像データや音声データがアナログデータならば、デジタルデータに変換する。そして映像／音声処理部１２は、映像データや音声データを圧縮して無線通信部１３に出力する。なお、映像データや音声データは、テレビジョン放送局などから送信された映像データや音声データに限定されない。映像データや音声データとしては、例えば映像供給装置１に接続されたビデオ再生機などの外部機器から出力される映像データや音声データなどであってもよい。なお、ビデオ再生機などが映像供給装置１の内部に構成されてもよい。このように、チューナ部１１および映像／音声処理部１２は、後述する無線通信部１３を介して映像表示装置２の無線通信部２３へ供給するための映像データや音声データを取得するデータ取得部である。
【００２７】
無線通信部１３は、アンテナ１３１を介して電波による無線通信を行う。無線通信部１３に用いられる電波は、無線ＬＡＮ（Ｌｏｃａｌ  Ａｒｅａ  Ｎｅｔｗｏｒｋ）等の各種無線通信規格に準じた電波である。無線ＬＡＮの規格としては、例えばＩＥＥＥ８０２．１１ａ、ＩＥＥＥ８０２．１１ｂ、ＩＥＥＥ８０２．１１ｇなどがある。また、無線通信部１３のような電波による無線通信を行う機器の消費電力は、一般的に２〜５Ｗである。無線通信部１３は、映像／音声処理部１２から出力された映像データや音声データを電波に変換して、映像表示装置２の無線通信部２３へ供給する。また無線通信部１３は、映像表示装置２の無線通信部２３から電波で送信されるオンデータまたはオフデータ（以下、制御データと称す）を受信する。制御データについては、後述にて説明する。
【００２８】
赤外線受信部１４は、映像表示装置２から赤外線による無線通信を用いて送信される制御データおよび識別コードを受信する。図２は、映像表示装置２から赤外線で送信されるデータを模式的に示した図である。図２に示すように、映像表示装置２から赤外線で送信されるデータは、制御データおよび識別コードで構成される。ここで、識別コードとは、制御データが送信された映像表示装置２と他の装置とを識別するためのコードである。換言すれば、映像表示装置２が送信先の装置として映像供給装置１を特定するためのコードである。映像供給装置１は、識別コードによって、制御データが映像表示装置２から送信されたデータであることを識別できる。これにより、映像供給装置１が映像表示装置２以外の装置から送信されたデータによって誤動作することを防止することができる。赤外線受信部１４は、赤外線で受信した制御データを電圧波形に変換して制御部１６に出力する。なお、赤外線受信部１４は、赤外線で受信した制御データをデジタル形式のデータに変換してもよい。また赤外線受信部１４は、赤外線で受信した制御データを電圧波形およびデジタル形式のデータに変換して、それぞれを制御部１６に出力してもよい。なお、赤外線受信部１４のような赤外線のデータを受信する機器の消費電力は、一般的に０．１Ｗ程度である。
【００２９】
電源部１５は、チューナ部１１、映像／音声処理部１２、無線通信部１３、赤外線受信部１４、および制御部１６へ電源を供給する。
【００３０】
制御部１６は、無線通信部１３および赤外線受信部１４で受信された制御データに基づいて電源部１５を制御し、映像供給装置１の各構成部への電源供給を停止または開始させる。
【００３１】
次に、映像表示装置２の各構成部について説明する。無線通信部２３は、アンテナ２３１を介して電波による無線通信を行う。無線通信部２３に用いられる電波は、無線通信部１３と同じである。無線通信部２３は、映像供給装置１の無線通信部１３から供給された映像データや音声データを受信する。無線通信部２３において受信された映像データや音声データは、映像／音声処理部２２で伸張され、表示部２１に出力される。表示部２１は例えば液晶などで構成される。表示部２１は映像データに応じた映像を表示する。音声データは、表示部２１の内部または外部に構成される音声出力部（図示なし）において音声として出力される。なお、無線通信部２３は、制御部２６において作成された制御データを電波の信号に変換して映像供給装置１の無線通信部１３へ送信する。
【００３２】
リモコン信号受信部２７は、リモコン３から赤外線による無線通信を用いて送信されるリモートコントロール信号（以下、リモコン信号と称す）を受信する。リモコン信号受信部２７は、受信したリモコン信号を電圧波形に変換して制御部２６に出力する。なお、リモコン信号受信部２７は、受信したリモコン信号をデジタル形式のデータに変換してもよい。またリモコン信号受信部２７は、リモコン信号を電圧波形およびデジタル形式のデータに変換して、それぞれを制御部２６に出力してもよい。
【００３３】
制御部２６は、リモコン信号受信部２７から出力されたリモコン信号に基づいて制御データを生成する。具体的には、リモコン信号が映像表示装置２の電源をオフする命令を示す信号であるとき、制御部２６は映像表示装置２の電源がオフの状態であることを示すオフデータを生成する。またリモコン信号が映像表示装置２の電源をオンする命令を示す信号であるとき、制御部２６は映像表示装置２の電源がオンの状態であることを示すオンデータを生成する。制御部２６は、生成した制御データを無線通信部２３に出力する。また制御部２６は、生成した制御データに識別コードを付加して赤外線送信部２４に出力する。また制御部２６は、リモコン信号受信部２７から出力されたリモコン信号に基づいて電源部２５を制御し、映像表示装置２の各構成部への電源供給を停止または開始させる。
【００３４】
赤外線送信部２４は、制御部２６において作成された制御データおよび識別コードを赤外線の信号に変換して映像供給装置１の赤外線受信部１４に送信する。
【００３５】
電源部２５は、表示部２１、映像／音声処理部２２、無線通信部２３、赤外線送信部２４、制御部２６、およびリモコン信号受信部２７へ電源を供給する。
【００３６】
ここで、本実施形態に係る映像表示システムの処理について説明する前に、映像供給装置１および映像表示装置２の設置位置について説明する。赤外線受信部１４および赤外線送信部２４は、上述したように赤外線により制御データの送受信を行う。したがって、映像供給装置１および映像表示装置２の設置位置によっては、赤外線受信部１４および赤外線送信部２４間で制御データの送受信ができない場合がある。一方、無線通信部１３および２３は、電波による無線通信により制御データの送受信を行う。したがって、映像供給装置１および映像表示装置２の設置位置に関係なく、常に無線通信部１３および２３間で制御データの送受信を行うことができる。
【００３７】
ここで本実施形態では、映像供給装置１および映像表示装置２の設置位置が変わらないことを前提として説明する。つまり、赤外線受信部１４および赤外線送信部２４の間で制御データの送受信が可能な場合には、その送受信可能な状態が維持されるとする。また赤外線受信部１４および赤外線送信部２４の間で制御データの送受信が不可能ならば、その送受信不可能な状態が維持されるとする。また映像供給装置１および映像表示装置２は、赤外線受信部１４および赤外線送信部２４の間、または無線通信部１３および２３の間の少なくともいずれかの間で制御データの送受信が可能であるとする。なお、映像供給装置１および映像表示装置２の設置位置が変わると、赤外線受信部１４および赤外線送信部２４の間、または無線通信部１３および２３の間のいずれかの間でも制御データの送受信が不可能になる場合がある。この場合を含む映像供給装置１および映像表示装置２の設置位置が変わる場合の処理については、第２および第３の実施形態として後述にて説明する。
【００３８】
図３および図４を参照して、本実施形態に係る映像表示システムの電源オン時の処理、および電源オフ時の処理について説明する。図３は、映像表示装置２について電源オン時の処理および電源オフ時の処理の流れを示したフローチャートである。図４は、映像供給装置１について電源オン時の処理および電源オフ時の処理の流れを示したフローチャートである。
【００３９】
まず図３を参照して、映像表示装置２の処理を説明する。ユーザがリモコン３を操作して映像表示装置２の電源をオンまたはオフさせるとする。このとき、映像表示装置２の電源をオンする命令または電源をオフする命令を示すリモコン信号がリモコン３から送信される。制御部２６は、リモコン信号受信部２７がリモコン信号を受信したとき、リモコン信号が電源をオフまたはオンするいずれの命令を示す信号であるかを判定する（ステップＳ１１）。リモコン信号が電源をオフする命令を示す信号である場合、処理はステップＳ１２へ進む。ステップＳ１２において制御部２６は、映像表示装置２の電源がオフであるかオンであるかを判定する。なお、表示部２１および映像／音声処理部２２へ電源が供給されている場合、制御部２６は映像表示装置２の電源がオンであると判定する。表示部２１および映像／音声処理部２２へ電源が供給されていない場合、制御部２６は映像表示装置２の電源がオフであると判定する。制御部２６が映像表示装置２の電源がオンであると判定したとき、処理はステップＳ１３へ進む。
【００４０】
ステップＳ１３において制御部２６は、映像表示装置２の電源がオフの状態であることを示すオフデータを生成する。そして制御部２６は、生成したオフデータを無線通信部２３に出力する。また制御部２６は、生成したオフデータに予め決められた識別コードを付加して赤外線送信部２４に出力する。ステップＳ１３の次にステップＳ１４において、無線通信部２３は制御部２６で生成されたオフデータを電波の信号に変換して映像供給装置１の無線通信部１３へ送信する。また赤外線送信部２４は、オフデータおよび識別コードを赤外線の信号に変換して映像供給装置１の赤外線受信部１４へ送信する。その後、制御部２６は、電源部２５を制御して、リモコン信号受信部２７および制御部２６以外の各構成部への電源供給を停止させる（ステップＳ１５）。
【００４１】
ステップＳ１１において、リモコン信号が電源をオンする命令を示す信号であると判定された場合、処理はステップＳ１６へ進む。ステップＳ１６において制御部２６は、映像表示装置２の電源がオフであるかオンであるかを判定する。制御部２６が映像表示装置２の電源がオフであると判定したとき、処理はステップＳ１７へ進む。ステップＳ１７において制御部２６は、電源部２５を制御して、リモコン信号受信部２７および制御部２６以外の各構成部への電源供給を開始する。次に制御部２６は、映像表示装置２の電源がオンの状態であることを示すオンデータを生成する（ステップＳ１８）。そして制御部２６は、生成したオンデータを無線通信部２３に出力する。また制御部２６は、生成したオンデータに予め決められた識別コードを付加して赤外線送信部２４に出力する。ステップＳ１８の次にステップＳ１９において、無線通信部２３は制御部２６で生成されたオンデータを電波の信号に変換して映像供給装置１の無線通信部１３へ送信する。また赤外線送信部２４は、オンデータおよび識別コードを赤外線の信号に変換して映像供給装置１の赤外線受信部１４へ送信する。
【００４２】
図４を参照して、映像供給装置１の処理を説明する。制御部１６は、無線通信部１３および／または赤外線受信部１４において映像表示装置２から送信された制御データが受信されたとき、制御データがオフデータであるかオンデータであるかを判定する（ステップＳ２１）。制御データがオフデータである場合、処理はステップＳ２２へ進む。ステップＳ２２において制御部１６は、映像供給装置１の電源がオフであるかオンであるかを判定する。ここで、チューナ部１１および映像／音声処理部１２へ電源が供給されている場合、制御部１６は映像供給装置１の電源がオンであると判定する。チューナ部１１および映像／音声処理部１２へ電源が供給されていない場合、制御部１６は映像供給装置１の電源がオフであると判定する。制御部１６が映像供給装置１の電源がオンであると判定したとき、処理はステップＳ２３へ進む。
【００４３】
ステップＳ２３において制御部１６は、映像表示装置２から送信された制御データが赤外線受信部１４で受信されたか否かを判定する。制御データが赤外線受信部１４で受信された場合には、処理はステップＳ２４へ進む。制御データが赤外線受信部１４で受信されない場合には、処理はステップＳ２６へ進む。
【００４４】
ステップＳ２４において制御部１６は、制御データとともに受信された識別コードが映像供給装置１に固有の識別コードと一致するかを判定する。識別コードが一致する場合、制御部１６は、電源部１５を制御して、赤外線受信部１４および制御部１６以外の各構成部への電源供給を停止させる（ステップＳ２５）。つまり、ステップＳ２５においては、チューナ部１１、映像／音声処理部１２、および無線通信部１３への電源供給を停止する。このように、赤外線受信部１４において制御データが受信可能であるとき、無線通信部１３への電源供給を停止する。
【００４５】
ステップ２３において制御データが無線通信部１３のみで受信されたと判定された場合、処理はステップＳ２６へ進む。ステップＳ２６において制御部１６は、電源部１５を制御して、無線通信部１３、赤外線受信部１４、および制御部１６以外の各構成部への電源供給を停止させる（ステップＳ２６）。つまり、ステップＳ２６においては、チューナ部１１および映像／音声処理部１２への電源供給を停止する。このように、赤外線受信部１４において制御データが受信不可能であるとき、無線通信部１３への電源供給は停止しない。
【００４６】
ステップＳ２１において制御データがオンデータであると判定された場合、処理はステップＳ２７へ進む。ステップＳ２７において制御部１６は、映像供給装置１の電源がオフであるかオンであるかを判定する。制御部１６が映像供給装置１の電源がオフであると判定したとき、処理はステップＳ２８へ進む。ステップＳ２８において制御部１６は、電源部１５を制御して、停止していた各構成部に対して電源供給を開始させる。つまり、制御部１６は、映像供給装置１の全ての構成部に対して電源が供給されるように制御する。なお、映像供給装置１の電源がオフしている場合として無線通信部１３への電源供給が停止している場合（ステップＳ２５）と無線通信部１３への電源が供給されている場合（ステップＳ２６）とがある。しかしながら、映像表示装置２で生成されたオンデータは、オフデータと同様に、無線通信部２３および赤外線送信部２４の両方から送信される。したがって、映像供給装置１の電源がオフしている状態がステップＳ２５およびステップＳ２６のいずれの状態であっても、無線通信部１３または赤外線受信部１４のいずれかで映像表示装置２から送信されたオンデータを受信することができる。
【００４７】
ここで、上述した映像供給装置１の処理によって映像供給装置１の各構成部への電源供給がどのように制御されるかについて、図５を参照して再度説明する。図５は、映像供給装置１における各構成部の電源の状態を模式的に示した図である。
【００４８】
図５（ａ）は、赤外線受信部１４で制御データが受信可能である位置に映像供給装置１および映像表示装置２が設置される場合を示している。この場合、図５（ａ）の太枠に示すように、制御部１６は、チューナ部１１、映像／音声処理部１２、および無線通信部１３への電源供給を停止する。これは、赤外線受信部１４で制御データが受信可能であるため、当該赤外線受信部１４によって映像表示装置２との電源の連動を行うことができるからである。
【００４９】
一方、図５（ｂ）は、赤外線受信部１４で制御データが受信不可能である位置に映像供給装置１および映像表示装置２が設置されている場合を示している。この場合、図５（ｂ）の太枠に示すように、制御部１６は、チューナ部１１および映像／音声処理部１２への電源供給を停止し、無線通信部１３への電源供給は停止しない。これは、赤外線受信部１４で制御データが受信不可能であるため、無線通信部１３によって映像表示装置２との電源の連動を行う必要があるからである。
【００５０】
以上のように、本実施形態では、映像供給装置１の赤外線受信部１４が制御データを受信することが可能な場合に、映像供給装置１の無線通信部１３への電源供給を停止する。ここで、赤外線受信部１４で消費される電力は、上述したように０．１Ｗ程度である。また無線通信部１３で消費される電力は、２〜５Ｗである。したがって、本実施形態によれば、映像供給装置１の電源がオフしているときに無線通信部１３への電源供給を停止することができるので、映像供給装置１の消費電力を十分に低減することができる。つまり、本実施形態では、無線通信部１３へ常に電源供給する必要があった従来よりも、映像供給装置１で消費される電力を小さくすることができる。
【００５１】
（第２の実施形態）
次に、本発明の第２の実施形態に係る映像表示システムについて説明する。本実施形態に係る映像表示システムは、図１で示した第１の実施形態と同様の構成であるので、本実施形態に係る各構成部の詳細な説明は省略する。
【００５２】
次に、本実施形態に係る映像表示システムの処理について詳細に説明する前に、処理の目的とその概要を説明する。上述した第１の実施形態では、映像供給装置１および映像表示装置２の設置位置が変わらないことを前提として説明した。しかしながら、図６に示すように、映像供給装置１の電源がオフした後に、映像供給装置１または映像表示装置２の設置場所が変わって赤外線受信部１４の受信状態が変化する場合がある。図６は、映像供給装置１の電源がオフしているときに赤外線受信部１４の受信状態が変化する場合を模式的に示した図である。
【００５３】
図６（ａ）は、無線通信部１３への電源供給が停止して映像供給装置１の電源がオフしている場合の赤外線受信部１４の受信状態の変化を示している。図６（ａ）において、無線通信部１３への電源供給が停止しているということは、映像供給装置１の電源がオフするときには赤外線受信部１４において制御データが受信可能であったということである。その後、図６（ａ）の太枠に示すように、映像供給装置１または映像表示装置２の設置場所が変わって赤外線受信部１４において制御データが受信不可能になる場合がある。また、設置場所を変えなくても映像供給装置１の初期状態として赤外線受信部１４および無線通信部１３のいずれにおいても制御データの受信が不可能である場合が考えられる。このような状態が維持されれば、映像表示装置２からオンデータが送信されても無線通信部１３および赤外線受信部１４で受信することができない。その結果、映像供給装置１の電源をオンすることができない。したがってこのような状態になった場合、無線通信部１３への電源供給を開始するように処理しなければならない。
【００５４】
図６（ｂ）は、無線通信部１３へ電源が供給されている状態で映像供給装置１の電源がオフしている場合の赤外線受信部１４での受信状態の変化を示している。図６（ｂ）において、無線通信部１３へ電源が供給されているということは、映像供給装置１の電源がオフするときには赤外線受信部１４において制御データが受信不可能であったということである。その後、図６（ｂ）の太枠に示すように、映像供給装置１または映像表示装置２の設置場所が変わって赤外線受信部１４において制御データが受信可能になる場合がある。このような状態が維持されれば、赤外線受信部１４で受信可能であるにも関わらず、無線通信部１３へ電源が供給されたままになる。したがってこのような状態になった場合、無線通信部１３への電源供給を停止する処理を行えばよい。その結果、映像供給装置１の消費電力を十分に低減させることができる。以下、このような処理を実現する映像表示システムを第２の実施形態に係る映像表示システムとして説明する。
【００５５】
次に、図７および図８を参照して、本実施形態に係る映像表示システムの処理について説明する。図７は、映像表示装置２について電源オフ時に行われる処理の流れを示したフローチャートである。図８は、映像供給装置１について電源オフ時に行われる処理の流れを示したフローチャートである。
【００５６】
まず図７を参照して、映像表示装置２の処理を説明する。制御部２６は、予め定められた所定時間が経過すると（ステップＳ３１でＹｅｓ）、映像表示装置２の電源がオフであるかオンであるかを判定する（ステップＳ３２）。映像表示装置２の電源がオフであると判定した場合、制御部２６は、映像表示装置２の電源がオフの状態であることを示すオフデータを生成する（ステップＳ３３）。ここで、第１の実施形態で説明したように映像表示装置２の電源がオフしているときは、赤外線送信部２４に電源が供給されていない。したがって、制御部２６は、電源部２５を制御して赤外線送信部２４への電源供給を開始する（ステップＳ３４）。ステップＳ３４の次に制御部２６は、生成したオフデータに予め決められた識別コードを付加して赤外線送信部２４に出力する。赤外線送信部２４は、制御部２６で生成されたオフデータおよび識別コードを赤外線の信号に変換して映像供給装置１の赤外線受信部１４へ送信する（ステップＳ３５）。その後、制御部２６は、電源部２５を制御して赤外線送信部２４への電源供給を停止させる。
【００５７】
次に図８を参照して、映像供給装置１の処理を説明する。この処理は、映像供給装置１の電源がオフしているときの処理である。制御部１６は、映像表示装置２と同じ所定時間が経過すると（ステップＳ４１でＹｅｓ）、赤外線受信部１４において映像表示装置２から送信された制御データが受信されたか否かを判定する（ステップＳ４２）。つまり、制御部１６は、映像表示装置２からオフデータが送信されるタイミングと同じタイミングで受信の確認を行う。赤外線受信部１４において映像表示装置２から送信された制御データが受信された場合には（ステップＳ４２でＹｅｓ）、赤外線受信部１４において受信可能であるので処理はステップＳ４３に進む。ステップＳ４３において制御部１６は、無線通信部１３に電源が供給されているかを判定する。無線通信部１３に電源が供給されている場合には、制御部１６は電源部１５を制御して無線通信部１３への電源供給を停止させる（ステップＳ４４）。これにより、映像供給装置１の消費電力を十分に低減させることができる。
【００５８】
赤外線受信部１４において映像表示装置２から送信された制御データが受信されない場合には（ステップＳ４２でＮｏ）、赤外線受信部１４において受信不可能であるので処理はステップＳ４５に進む。ステップＳ４５において制御部１６は、無線通信部１３に電源が供給されているかを判定する。無線通信部１３に電源が供給されていない場合には、ステップＳ４６において制御部１６は、無線通信部１３への電源供給を開始させる。これにより、赤外線受信部１４および無線通信部１３のいずれにおいても制御データの受信が不可能である場合であっても、映像表示装置２の電源のオンに応じて映像供給装置１の電源をオンすることができる。
【００５９】
以上のように、本実施形態によれば、所定時間毎に映像表示装置２からオフデータが送信され、映像供給装置１において赤外線受信部１４および無線通信部１３のいずれにおいても制御データの受信が不可能である場合に、無線通信部１３への電源供給を開始することで、設置場所の変化などに関係なく、映像供給装置１の電源を映像表示装置２の電源のオンに連動させることができる。
【００６０】
また、本実施形態によれば、映像供給装置１の赤外線受信部１４において映像表示装置２から送信される制御データが受信可能になった場合に、無線通信部１３への電源供給を停止することで、映像供給装置１で消費される電力を十分に低減させることができる。
【００６１】
（第３の実施形態）
図９を参照して、本発明の第３の実施形態に係る映像表示システムについて説明する。図９は、本発明の第３の実施形態に係る映像表示システムの構成例を示すブロック図である。本実施形態に係る映像表示システムは、映像供給装置１および映像表示装置２で構成される。映像供給装置１は、チューナ部１１、映像／音声処理部１２、無線通信部１３、赤外線受信部１４、電源部１５、制御部１６、および赤外線送信部１８を備える。映像表示装置２は、表示部２１、映像／音声処理部２２、無線通信部２３、赤外線送信部２４、電源部２５、制御部２６、リモコン信号受信部２７、および赤外線受信部２８を備える。本実施形態に係る映像表示システムは、上述した第１および第２の実施形態に対して赤外線送信部１８および赤外線受信部２８を新たに備えている点で異なる。赤外線送信部１８は、上述した赤外線送信部２４と同じ機能を有する。赤外線受信部２８は、上述した赤外線受信部１４と同じ機能を有する。また赤外線送信部１８および赤外線受信部２８以外の各構成部は、上述した第１および第２の実施形態と同様であるので同一の符号を付して説明を省略する。
【００６２】
本実施形態に係る映像表示システムは、第２の実施形態と同様に、映像供給装置１および映像表示装置２の設置位置が変わって映像供給装置１における赤外線受信部１４の受信状態が変化しても、その変化に対応した最適な処理を行う映像表示システムである。第２の実施形態と異なる点は、映像供給装置１から映像表示装置２へ問い合わせを行う点である。以下、図１０および図１１を参照して、異なる点を中心に説明する。図１０は、映像表示装置２について電源オフ時に行われる処理の流れを示したフローチャートである。図１１は、映像供給装置１について電源オフ時に行われる処理の流れを示したフローチャートである。
【００６３】
まず図１０を参照して、映像表示装置２の処理を説明する。制御部２６は、予め定められた所定時間が経過すると（ステップＳ５１でＹｅｓ）、赤外線受信部２８で映像供給装置１からの問い合わせを示すデータが受信されたか否かを判定する（ステップＳ５２）。つまり、制御部２６は、映像供給装置１から問い合わせを示すデータが送信されるタイミングと同じタイミングで受信の確認を行う。ここで、映像表示装置２の電源はオフしているが、赤外線受信部２８への電源供給は停止していてもよいし、供給されていてもよい。赤外線受信部２８への電源供給は停止している場合には、ステップＳ５２の処理を行うときのみ赤外線受信部２８へ電源を供給すればよい。問い合わせを示すデータが受信された場合には、制御部２６は映像表示装置２の電源がオフしているか否かを判定する（ステップＳ５３）。映像表示装置２の電源がオフであると判定された場合、制御部２６は、映像表示装置２の電源がオフの状態であることを示すオフデータを生成する（ステップＳ５４）。ここで、第１の実施形態で説明したように映像表示装置２の電源がオフしているときは、赤外線送信部２４に電源が供給されていない。したがって、制御部２６は、赤外線送信部２４への電源供給を開始する（ステップＳ５５）。ステップＳ５５の次に制御部２６は、生成したオフデータに予め決められた識別コードを付加して赤外線送信部２４に出力する。赤外線送信部２４は、制御部２６で生成されたオフデータおよび識別コードを赤外線の信号に変換して映像供給装置１の赤外線受信部１４へ送信する（ステップＳ５６）。その後、制御部２６は、電源部２５を制御して赤外線送信部２４への電源供給を停止させる。
【００６４】
次に図１１を参照して、映像供給装置１の処理を説明する。この処理は、映像供給装置１の電源がオフしているときの処理である。制御部１６は、予め定められた所定時間が経過すると（ステップＳ６１でＹｅｓ）、赤外線送信部１８を介して映像表示装置２の電源がオフしているかの問い合わせを示すデータを赤外線で送信する（ステップＳ６２）。ここで、映像供給装置１の電源はオフしているが、赤外線送信部１８への電源供給は停止していてもよいし、供給されていてもよい。赤外線送信部１８への電源供給は停止している場合には、ステップＳ６２の処理を行うときのみ赤外線送信部１８へ電源を供給すればよい。次に、制御部１６は、自身が送信した問い合わせに対する所定の応答時間が経過するのを待つ（ステップＳ６３）。ステップＳ６３の次に制御部１６は、赤外線受信部１４において映像表示装置２から送信されたオフデータが受信されたか否かを判定する（ステップＳ６４）。赤外線受信部１４において映像表示装置２から送信されたオフデータが受信された場合には（ステップＳ６４でＹｅｓ）、赤外線受信部１４において受信可能であるので処理はステップＳ６５に進む。ステップＳ６５において、制御部１６は無線通信部１３に電源が供給されているかを判定する。無線通信部１３に電源が供給されている場合には、制御部１６は電源部１５を制御して無線通信部１３への電源供給を停止させる（ステップＳ６６）。これにより、映像供給装置１の消費電力を十分に低減させることができる。
【００６５】
赤外線受信部１４において映像表示装置２から送信された制御データが受信されない場合には（ステップＳ６４でＮｏ）、赤外線受信部１４において受信不可能であるので処理はステップＳ６７に進む。ステップＳ６７において制御部１６は、無線通信部１３に電源が供給されているかを判定する。無線通信部１３に電源が供給されていない場合には、ステップＳ６８において制御部１６は、無線通信部１３への電源供給を開始させる。これにより、赤外線受信部１４および無線通信部１３のいずれにおいても制御データの受信が不可能である場合であっても、映像表示装置２の電源のオンに応じて映像供給装置１の電源をオンすることができる。
【００６６】
以上のように、本実施形態によれば、映像供給装置１が映像表示装置２に対して問い合わせを行うことで、映像供給装置１において赤外線受信部１４および無線通信部１３のいずれにおいても制御データの受信が不可能である場合に、無線通信部１３への電源供給を開始することで、設置場所の変化などに関係なく、映像供給装置１の電源を映像表示装置２の電源のオンに連動させることができる。
【００６７】
また、本実施形態によれば、映像供給装置１の赤外線受信部１４において映像表示装置２から送信される制御データが受信可能になった場合に、無線通信部１３への電源供給を停止することで、映像供給装置１で消費される電力を十分に低減させることができる。
【００６８】
なお、上述では、赤外線受信部２８とリモコン信号受信部２７とを別々の構成としたが、１つの構成としてもよい。つまり、リモコン信号受信部２７において、赤外線受信部２８の機能も果たすようにしてもよい。
【産業上の利用可能性】
【００６９】
本発明は、映像供給装置の電源がオフしているときに映像供給装置で消費される電力を十分に低減させることが可能な映像表示システム等に有用である。
【図面の簡単な説明】
【００７０】
【図１】第１の実施形態に係る映像表示システムの構成例を示すブロック図
【図２】映像表示装置２から送信される制御データおよび識別コードを示す図
【図３】映像表示装置２について電源オン時の処理および電源オフ時の処理の流れを示したフローチャート
【図４】映像供給装置１について電源オン時の処理および電源オフ時の処理の流れを示したフローチャート
【図５】映像供給装置１における各構成部の電源の状態を模式的に示した図
【図６】映像供給装置１の電源がオフしているときに赤外線受信部１４の受信状態が変化する場合を模式的に示した図
【図７】映像表示装置２について電源オフ時に行われる処理の流れを示したフローチャート
【図８】映像供給装置１について電源オフ時に行われる処理の流れを示したフローチャート
【図９】本発明の第３の実施形態に係る映像表示システムの構成例を示すブロック図
【図１０】映像表示装置２について電源オフ時に行われる処理の流れを示したフローチャート
【図１１】映像供給装置１について電源オフ時に行われる処理の流れを示したフローチャート
【符号の説明】
【００７１】
１  映像供給装置
２  映像表示装置
３  リモコン
１１  チューナ部
１２、２２  映像／音声処理部
１３、２３  無線通信部
１４、２８  赤外線受信部
１５、２５  電源部
１６、２６  制御部
１８、２４  赤外線送信部
２１  表示部
２７  リモコン信号受信部
１３１、２３１  アンテナ
【図１】
2007274440.tif 000003
【図２】
2007274440.tif 000004
【図３】
2007274440.tif 000005
【図４】
2007274440.tif 000006
【図５】
2007274440.tif 000007
【図６】
2007274440.tif 000008
【図７】
2007274440.tif 000009
【図８】
2007274440.tif 000010
【図９】
2007274440.tif 000011
【図１０】
2007274440.tif 000012
【図１１】
2007274440.tif 000013